(57)【要約】【課題】大型の抵抗の素子数の増加と消費電力の増加とを防止する。【解決手段】スイッチ回路３より送出される直流出力を動作電源として駆動モータ４を駆動する駆動回路１１と、駆動モータ４に流れる電流を電圧に変換する電流検出用抵抗Ｒ１３と、電流検出用抵抗Ｒ１３の端子間電圧が所定値を超えるときには、駆動モータ４に流れる電流を所定値に制限する過電流保護部２９と、駆動モータ４に流れる電流を検出する電流検出部６と、電流検出部６の検出結果が、駆動モータ４に流れる電流が所定期間に渡って所定値を超えたことを示すときには、スイッチ回路３より送出される直流出力の電圧を低下させる電圧制御部１２とを備えた構成において、電流検出部６は電流検出用抵抗Ｒ１３の端子間電圧に基づいて駆動モータ４に流れる電流を検出する。【選択図】  図１
0003106026.tif 000002
【実用新案登録請求の範囲】
【請求項１】
その電圧が第１の電圧である第１の直流出力と、その電圧が第１の電圧より高い第２の電圧である第２の直流出力とを出力する電源部と、
第１の直流出力と第２の直流出力とが導かれ、送出する直流出力を、第１の直流出力と第２の直流出力とに切り換え可能なスイッチ回路と、
ブラシレスモータを用いて磁気テープを走行させる走行機構部と、
スイッチ回路より送出される直流出力を動作電源としてブラシレスモータを駆動する駆動回路と、
ブラシレスモータの電流経路に挿入され、ブラシレスモータに流れる電流を電圧に変換する電流検出用抵抗と、
電流検出用抵抗の端子間電圧が所定値を超えるときには、駆動回路がブラシレスモータに印加する電圧を低下させることによって、ブラシレスモータに流れる電流を所定値に制限する過電流保護部と、
ブラシレスモータに流れる電流を検出する電流検出部と、
スイッチ回路から第２の直流出力が送出された状態において、電流検出部の検出結果が、ブラシレスモータに流れる電流が所定期間に渡って所定値を超えたことを示すときには、スイッチ回路より送出される直流出力を、第２の直流出力から第１の直流出力に切り換える電圧制御部とを備えたビデオカセットレコーダにおいて、
電流検出用抵抗は、その一方の端子が駆動回路に接続されるとともに、その他方の端子が接地され、
電流検出部は、
電流検出用抵抗の前記一方の端子がプラス入力に導かれたＯＰアンプと、
ＯＰアンプのマイナス入力と接地レベルとの間に接続された第１の抵抗と、
一方の端子がＯＰアンプのマイナス入力に接続され、他方の端子がＯＰアンプの出力端子に接続された第２の抵抗と、
第２の抵抗に並列に接続されたコンデンサとを備え、
スイッチ回路は、
エミッタには電源部からの第２の直流出力が導かれ、コレクタが駆動回路に導かれたＮＰＮトランジスタと、
アノードには電源部からの第１の直流出力が導かれ、カソードがＮＰＮトランジスタのコレクタに接続されたダイオードとを備え、
電圧制御部は、スイッチ回路から第１の直流出力を送出させるときにはＮＰＮトランジスタをオフ状態に設定し、スイッチ回路から第２の直流出力を送出させるときにはＮＰＮトランジスタをオン状態に設定することを特徴とするビデオカセットレコーダ。
【請求項２】
その電圧が第１の電圧である第１の直流出力と、その電圧が第１の電圧より高い第２の電圧である第２の直流出力とを出力する電源部と、
第１の直流出力と第２の直流出力とが導かれ、送出する直流出力を、第１の直流出力と第２の直流出力とに切り換え可能なスイッチ回路と、
駆動モータを用いて磁気テープを走行させる走行機構部と、
スイッチ回路より送出される直流出力を動作電源として駆動モータを駆動する駆動回路と、
駆動モータの電流経路に挿入され、駆動モータに流れる電流を電圧に変換する電流検出用抵抗と、
電流検出用抵抗の端子間電圧が所定値を超えるときには、駆動回路が駆動モータに印加する電圧を低下させることによって、駆動モータに流れる電流を所定値に制限する過電流保護部と、
駆動モータに流れる電流を検出する電流検出部と、
スイッチ回路から第２の直流出力が送出された状態において、電流検出部の検出結果が、駆動モータに流れる電流が所定期間に渡って所定値を超えたことを示すときには、スイッチ回路より送出される直流出力を、第２の直流出力から第１の直流出力に切り換える電圧制御部とを備えた磁気テープ駆動装置において、
電流検出部は電流検出用抵抗の端子間電圧に基づいて駆動モータに流れる電流を検出することを特徴とする磁気テープ駆動装置。
【請求項３】
電流検出用抵抗は、その一方の端子が駆動部に接続されるとともに、その他方の端子が接地され、
電流検出部は、
電流検出用抵抗の前記一方の端子がプラス入力に導かれたＯＰアンプと、
ＯＰアンプのマイナス入力と接地レベルとの間に接続された第１の抵抗と、
一方の端子がＯＰアンプのマイナス入力に接続され、他方の端子がＯＰアンプの出力端子に接続された第２の抵抗と、
第２の抵抗に並列に接続されたコンデンサとを備えたことを特徴とする請求項２記載の磁気テープ駆動装置。
【考案の詳細な説明】
【技術分野】
【０００１】
本考案は、磁気テープを走行させるときの動力源となる駆動モータに流れる電流が、所定期間に渡って所定値を超えるときには、駆動モータを駆動する駆動回路に供給する電圧を低下させるビデオカセットレコーダおよび磁気テープ駆動装置に関するものである。
【背景技術】
【０００２】
ビデオカセットレコーダにおけるキャプスタンモータには、低速で安定した回転を得ることができるブラシレスモータが使用されており、早送りや巻戻しとなるときには、キャプスタンモータの駆動経路を切り換えることによって、磁気テープを走行させるようになっている。図６は、上記したブラシレスモータの駆動回路を示しており、ブラシレスモータ４の内部に設けられたホール素子１７〜１９の出力に基づいて６つのＦＥＴ３１〜３６を制御することにより、Ｕ相コイルＵ、Ｖ相コイルＶ、Ｗ相コイルＷの３つのコイルを駆動するようになっている。また、コイルＵ，Ｖ，Ｗに流れる電流の経路には電流検出用抵抗Ｒ１３が挿入されるとともに、過電流保護部２９が設けられており、電流検出用抵抗Ｒ１３の端子間電圧が所定値を超えないように、コイルＵ，Ｖ，Ｗに印加する電圧を制限している。このように、電流検出用抵抗Ｒ１３と過電流保護部２９とを用いて、コイルＵ，Ｖ，Ｗに過電流が流れることのないように制御した場合、コイルＵ，Ｖ，Ｗには、過電流として検出される電流値より僅かだけ少ない電流が流れ続けることになる。また、このときでは、コイルＵ，Ｖ，Ｗに供給される電圧が低くなるように制御される。すなわち、ＦＥＴ３１〜３６に流れる電流値は大きく、且つ、ＦＥＴ３１〜３６における電圧の降下量が大きくなる。その結果、ＦＥＴ３１〜３６の発熱量が増大する。従って、この状態が続くときでは、ドライバＩＣ５の温度は急激に上昇する。このため、熱保護回路２１を設け、ドライバＩＣ５が所定温度を超えるときには、コイルＵ，Ｖ，Ｗへの電流の供給を遮断し、ドライバＩＣ５の、それ以上の温度上昇を防止することによって、ドライバＩＣ５を熱破壊から保護している（第１の従来技術とする）。
【０００３】
また、以下に示す技術が提案されている（第２の従来技術とする）。すなわち、この技術では、キャプスタンモータを兼ねるリール台駆動モータ（以下では、単にモータと称する）に流れる電流を検出するために、モータ駆動電流検出回路を設けている。そして、モータ駆動電流検出回路の出力に基づき、モータに流れる電流が、予め定めた所定値を、所定期間以上に渡って、継続して超えるか否かを判別している。そして、モータに流れる電流が、予め定めた所定値を、所定期間以上に渡って、継続して超える場合には、モータの駆動を停止することによって、磁気テープの走行を停止させている。そして後、磁気テープの走行経路を、シリンダに接触して走行する経路から、シリンダに接触することなく走行する経路に切り換えた後、モータの駆動を再開することによって、磁気テープの走行を再開させている（例えば、特許文献１参照）。
【０００４】
また、以下に示す技術が提案されている（第３の従来技術とする）。すなわち、この技術では、リール台を駆動する駆動モータの回転数を検出する回転検出器を設けている。そして、駆動モータに２３Ｖの高電圧を印加した状態において、回転検出器の出力により示される駆動モータの回転数が、想定される回転数より大きく逸脱して低下する場合（回転数が２０００ｒｐｍ以下に低下した場合）には、テープの巻き取り負荷が増大しており、駆動モータの電流が増加しているとして、即座に、駆動モータに印加される電圧を２３Ｖから１２Ｖの低電圧に切り換えている。そして後、１２Ｖの低電圧を駆動モータに印加した状態において、テープの巻き取りを行っている（例えば、特許文献２参照）。
【特許文献１】特開平３−１５４２５４号公報（第３頁右上欄）
【特許文献２】特開２００１−２９７５０７号公報（第００１９〜００２１段落）
【考案の開示】
【考案が解決しようとする課題】
【０００５】
しかしながら、第１の従来技術を用いる場合には、以下に示す問題を生じていた。すなわち、磁気テープの巻き取りの負荷の増大（特に、低温時に発生し易い）が原因となって、ブラシレスモータ４に流れる電流が増加するときでは、ブラシレスモータ４に流れる電流は、過電流保護部２９によって所定値に制限される。また、この状態が継続し、ドライバＩＣ５の温度上昇が大きくなる場合では熱保護回路２１が動作し、ブラシレスモータ４の駆動を遮断することによって、ドライバＩＣ５を熱破壊から防止している。しかし、ブラシレスモータ４の駆動を遮断したときでは、直ちに、ドライバＩＣ５の温度低下が始まるため、短時間のうちに熱保護回路２１の動作が停止し、ブラシレスモータ４の駆動が再開される。すると、再びドライバＩＣ５の温度が上昇し、熱保護回路２１が動作して、ブラシレスモータ４の駆動が遮断される。そして、以後では、極めて短い周期で、ブラシレスモータ４の駆動と、駆動の遮断とが繰り返される。従って、ブラシレスモータ４の回転が不規則となって、磁気テープの走行が不安定になり、磁気テープの損傷の恐れが生じる。また、ドライバＩＣ５は何度も高温状態となるため、ドライバＩＣ５の熱破壊の恐れも生じる。
【０００６】
第２の従来技術は、モータに流れる電流が、予め定めた所定値を、所定期間以上に渡って、継続して超える場合には、磁気テープの走行経路を、シリンダに接触して走行する経路から、シリンダに接触することなく走行する経路に切り換えている。このため、巻き取り負荷が減少するので、モータに流れる電流の増加が抑制されることになる。従って、第１の従来技術における問題は解決されることになる。しかし、この場合では、新たな問題が生じることになる。すなわち、上記した制御のためには、モータ駆動電流検出回路が不可欠となる。一方、モータに流れる電流を安価に検出するには、モータの電流経路に電流検出用抵抗を挿入し、その端子間電圧に基づいて電流を検出する構成とする必要がある。そして、この構成とする場合では、電流検出用抵抗を構成する大型の抵抗素子が必要となる。且つ、電流検出用抵抗による損失分だけ、消費電力が増大することになるが、このような問題を解決する方法については、全く開示されていない。
【０００７】
第３の従来技術は、駆動モータの回転数を検出するために回転検出器を備えた構成となっている。このため、ロータリエンコーダ等の機構部品や、ロータリエンコーダの出力を波形整形する電気回路等が必要となる。従って、部品点数の大幅な増大を招く。且つ、機構部品の増加は、組み立ての工程数の増加をも招くことになる。
【０００８】
本考案は、上記の問題点を解決するため創案されたものであり、その目的は、ブラシレスモータを用いて磁気テープを走行させる構成とする場合において、大型の抵抗の素子数の増加と消費電力の増加とを防止することのでき、且つ、電流検出部の構成を簡単化することのでき、且つ、駆動回路に供給する電圧を変更するためのスイッチ回路の構成を簡単化することのできるビデオカセットレコーダを提供することにある。
【０００９】
また本考案の目的は、駆動モータの電流経路に挿入された電流検出用抵抗の端子間電圧に基づいて、駆動モータに流れる電流を所定値に制限する過電流保護を行うとともに、駆動モータに流れる電流を検出する電流検出部を設け、電流検出部の検出結果が、駆動モータに流れる電流が所定期間に渡って所定値を超えたことを示すとき、駆動モータを駆動する駆動回路に供給される動作電源の電圧を低下させる構成において、過電流保護のための電流検出に用いる電流検出用抵抗と、電流検出部が電流を検出するために使用する電流検出用抵抗とを共用とすることにより、大型の抵抗の素子数の増加と消費電力の増加とを防止することのできる磁気テープ駆動装置を提供することにある。
【００１０】
また上記目的に加え、電流検出用抵抗については、一方の端子を駆動回路に接続するとともに他方の端子を接地し、電流検出用抵抗の一方の端子に現れる電圧を、ＯＰアンプのプラス入力に導いて増幅することにより、電流検出部の構成を簡単化することのできる磁気テープ駆動装置を提供することにある。
【課題を解決するための手段】
【００１１】
上記の課題を解決するため、本考案に係るビデオカセットレコーダは、その電圧が第１の電圧である第１の直流出力と、その電圧が第１の電圧より高い第２の電圧である第２の直流出力とを出力する電源部と、第１の直流出力と第２の直流出力とが導かれ、送出する直流出力を、第１の直流出力と第２の直流出力とに切り換え可能なスイッチ回路と、ブラシレスモータを用いて磁気テープを走行させる走行機構部と、スイッチ回路より送出される直流出力を動作電源としてブラシレスモータを駆動する駆動回路と、ブラシレスモータの電流経路に挿入され、ブラシレスモータに流れる電流を電圧に変換する電流検出用抵抗と、電流検出用抵抗の端子間電圧が所定値を超えるときには、駆動回路がブラシレスモータに印加する電圧を低下させることによって、ブラシレスモータに流れる電流を所定値に制限する過電流保護部と、ブラシレスモータに流れる電流を検出する電流検出部と、スイッチ回路から第２の直流出力が送出された状態において、電流検出部の検出結果が、ブラシレスモータに流れる電流が所定期間に渡って所定値を超えたことを示すときには、スイッチ回路より送出される直流出力を、第２の直流出力から第１の直流出力に切り換える電圧制御部とを備えたビデオカセットレコーダに適用している。そして、電流検出用抵抗は、その一方の端子が駆動回路に接続されるとともに、その他方の端子が接地されている。また、電流検出部は、電流検出用抵抗の前記一方の端子がプラス入力に導かれたＯＰアンプと、ＯＰアンプのマイナス入力と接地レベルとの間に接続された第１の抵抗と、一方の端子がＯＰアンプのマイナス入力に接続され、他方の端子がＯＰアンプの出力端子に接続された第２の抵抗と、第２の抵抗に並列に接続されたコンデンサとを備えており、スイッチ回路は、エミッタには電源部からの第２の直流出力が導かれ、コレクタが駆動回路に導かれたＮＰＮトランジスタと、アノードには電源部からの第１の直流出力が導かれ、カソードがＮＰＮトランジスタのコレクタに接続されたダイオードとを備えている。そして、電圧制御部は、スイッチ回路から第１の直流出力を送出させるときにはＮＰＮトランジスタをオフ状態に設定し、スイッチ回路から第２の直流出力を送出させるときにはＮＰＮトランジスタをオン状態に設定するようになっている。
【００１２】
すなわち、大型の抵抗素子を用いる必要がある電流検出用抵抗の数は１つとなる。従って、電流検出のために電力を消費することになる素子数も１つとなる。且つ、電流検出部は、１つのＯＰアンプと、小型化が可能な２つの抵抗と、小型化が可能な１つのコンデンサとによって構成される。且つ、スイッチ回路は、１つのＮＰＮトランジスタと、１つのダイオードと、電圧制御部の出力に従ってＮＰＮトランジスタをオンオフする制御回路とによって構成することができる。
【００１３】
また本考案に係る磁気テープ駆動装置は、その電圧が第１の電圧である第１の直流出力と、その電圧が第１の電圧より高い第２の電圧である第２の直流出力とを出力する電源部と、第１の直流出力と第２の直流出力とが導かれ、送出する直流出力を、第１の直流出力と第２の直流出力とに切り換え可能なスイッチ回路と、駆動モータを用いて磁気テープを走行させる走行機構部と、スイッチ回路より送出される直流出力を動作電源として駆動モータを駆動する駆動回路と、駆動モータの電流経路に挿入され、駆動モータに流れる電流を電圧に変換する電流検出用抵抗と、電流検出用抵抗の端子間電圧が所定値を超えるときには、駆動回路が駆動モータに印加する電圧を低下させることによって、駆動モータに流れる電流を所定値に制限する過電流保護部と、駆動モータに流れる電流を検出する電流検出部と、スイッチ回路から第２の直流出力が送出された状態において、電流検出部の検出結果が、駆動モータに流れる電流が所定期間に渡って所定値を超えたことを示すときには、スイッチ回路より送出される直流出力を、第２の直流出力から第１の直流出力に切り換える電圧制御部とを備えた磁気テープ駆動装置に適用している。そして、電流検出部は電流検出用抵抗の端子間電圧に基づいて駆動モータに流れる電流を検出するようになっている。すなわち、大型の抵抗素子を用いる必要がある電流検出用抵抗の数は１つとなる。従って、電流検出のために電力を消費することになる素子数も１つとなる。
【００１４】
また上記構成に加え、電流検出用抵抗は、その一方の端子が駆動部に接続されるとともに、その他方の端子が接地されており、電流検出部は、電流検出用抵抗の前記一方の端子がプラス入力に導かれたＯＰアンプと、ＯＰアンプのマイナス入力と接地レベルとの間に接続された第１の抵抗と、一方の端子がＯＰアンプのマイナス入力に接続され、他方の端子がＯＰアンプの出力端子に接続された第２の抵抗と、第２の抵抗に並列に接続されたコンデンサとを備えている。すなわち、電流検出部は、１つのＯＰアンプと、小型化が可能な２つの抵抗と、小型化が可能な１つのコンデンサとによって構成される。
【考案の効果】
【００１５】
本考案によれば、大型の抵抗素子を用いる必要がある電流検出用抵抗の数は１つとなる。従って、電流検出のために電力を消費することになる素子数も１つとなる。且つ、電流検出部は、１つのＯＰアンプと、小型化が可能な２つの抵抗と、小型化が可能な１つのコンデンサとによって構成され、スイッチ回路は、１つのＮＰＮトランジスタと、１つのダイオードと、電圧制御部の出力に従ってＮＰＮトランジスタをオンオフする制御回路とによって構成することができる。このため、ブラシレスモータを用いて磁気テープを走行させる構成とする場合において、大型の抵抗の素子数の増加と消費電力の増加とを防止することができ、且つ、電流検出部の構成を簡単化することができ、且つ、駆動回路に供給する電圧を変更するためのスイッチ回路の構成を簡単化することができる。
【００１６】
また本考案によれば、大型の抵抗素子を用いる必要がある電流検出用抵抗の数は１つとなる。従って、電流検出のために電力を消費することになる素子数も１つとなるので、大型の抵抗の素子数の増加と消費電力の増加とを防止することができる。
【００１７】
また、さらに、電流検出部は、１つのＯＰアンプと、小型化が可能な２つの抵抗と、小型化が可能な１つのコンデンサとによって構成されるので、電流検出部の構成を簡単化することができる。
【考案を実施するための最良の形態】
【００１８】
以下、本考案の実施の形態について図を参照して説明する。
【００１９】
図４は、本考案に係る磁気テープ駆動装置の一実施形態の走行機構部の構成の概略を示す説明図である。
【００２０】
図において、磁気テープ５５は、早送りとなるときには、供給リール５１の側から巻取リール５２の側に走行し、巻戻しとなるときには、巻取リール５２の側から供給リール５１の側に走行する（５４は回転シリンダを示している）。このため、ブラシレスモータ（駆動モータ）４の駆動力は、早送りとなるときには、図示されない伝達経路を介して、巻取リール５２の側に伝達され、巻戻しとなるときには、ブラシレスモータ４の駆動力は、図示されない伝達経路を介して、供給リール５１の側に伝達される。また、ブラシレスモータ４は、キャプスタンモータともなっていて、その回転軸はキャプスタン５３ともなっている（キャプスタン５３と対となるピンチローラは図示が省略されている）。
【００２１】
図１は、実施形態の電気的構成を示すブロック線図であり、具体的にはビデオカセットレコーダの一部を示している。なお、図６に示す従来技術と同一となるブロックには図６における符号と同一符号を付与している。
【００２２】
本実施形態は、磁気テープを走行させるための動力源にブラシレスモータを用いた構成となっている。このため、大別すると、制御部１、電源部２、スイッチ回路３、ブラシレスモータ４、ドライバＩＣ５、電流検出部６、電流検出用抵抗Ｒ１３、ホール素子１７〜１９、および、２つの抵抗Ｒ１１，Ｒ１２を備えている。そして、ドライバＩＣ５は、駆動回路１１、増幅器２７、駆動制御回路２８を備えている。
【００２３】
ホール素子１７〜１９は、ブラシレスモータ４のロータ（図示を省略）の回転位置を検出するセンサであり、検出結果を作動増幅器２２〜２４に出力する。作動増幅器２２〜２４は、ホール素子１７〜１９の出力を増幅した後、波形整形することによって、ロータの回転位置を示す信号を生成し、波形合成回路２５に出力する。波形合成回路２５は、ロータの回転位置を示す信号に基づいて、ブラシレスモータ４の３つのコイルＵ，Ｖ，Ｗのそれぞれの駆動のタイミングを示す信号を生成し、プリドライブ回路２６に送出する。プリドライブ回路２６は、波形合成回路２５の出力に従って、６つのＦＥＴ３１〜３６を駆動する。６つのＦＥＴ３１〜３６は、プリドライブ回路２６の出力に基づいて、コイルＵ，Ｖ，Ｗのそれぞれを駆動する。
【００２４】
駆動制御回路２８は、ＦＥＴ３１〜３６がコイルＵ，Ｖ，Ｗを駆動する電圧を、信号４７に対応した電圧となるように、プリドライブ回路２６を制御する（増幅器２７は、信号４７を低インピーダンスの信号に変換して駆動制御回路２８に出力する）。また、駆動制御回路２８の内部に設けられた過電流保護部２９は、コイルＵ，Ｖ，Ｗに流れる電流を電圧に変換する電流検出用抵抗Ｒ１３の出力に基づいてプリドライブ回路２６を制御することにより、コイルＵ，Ｖ，Ｗに流れる電流を所定値に制限する。
【００２５】
方向切換回路２０は、信号４６が回転方向の反転を指示するレベルとなるときには、作動増幅器２２〜２４の出力レベルを反転させることにより、ブラシレスモータ４の回転方向を反転させる。熱保護回路２１は、ドライバＩＣ５の温度が所定値を超えるときには、それ以上の温度上昇を防止するため、プリドライブ回路２６によるＦＥＴ３１〜３６の駆動を停止させて、コイルＵ，Ｖ，Ｗの駆動を遮断する。
【００２６】
電源部２は、ビデオカセットレコーダとしての動作に必要とする直流出力を生成するスイッチング電源であり、図示されないブロック（記録再生信号処理回路、等）に対して、複数種の電圧の直流出力を送出する。また、スイッチ回路３に対しては、図３に示すように、コイルＬ１の出力を、ダイオードＤ１とコンデンサＣ１とでもって整流平滑して得られ、その電圧が第１の電圧（１２Ｖ）である第１の直流出力６１を送出する。また、コイルＬ２の出力を、ダイオードＤ２とコンデンサＣ２とでもって整流平滑して得られ、その電圧が第１の直流出力６１の電圧より高い第２の電圧（２０Ｖ）である第２の直流出力６２を送出する。
【００２７】
スイッチ回路３は、制御部１内の電圧制御部１２の指示に従って、第１の直流出力６１または第２の直流出力６２を駆動回路１１に出力する。このため、エミッタに第２の直流出力６２が導かれ、コレクタが駆動回路１１の電源入力に導かれたＮＰＮトランジスタ（以下では、単にトランジスタと称する）Ｑ１を備えている。また、アノードに第１の直流出力６１が導かれ、カソードがトランジスタＱ１のコレクタに接続されたダイオードＤ３を備えている。また、コレクタがトランジスタＱ１のベースに接続され、エミッタが接地されるとともに、ベースには、抵抗Ｒ９を介して、電圧制御部１２の出力４３が導かれたトランジスタＱ２を備えている（抵抗Ｒ８は、トランジスタＱ２のベースインピーダンスの上昇を制限する）。
【００２８】
スイッチ回路３は上記した構成となっている。このため、電圧制御部１２の出力４３がＨレベルとなるときには、トランジスタＱ１，Ｑ２の双方がオンとなって、駆動回路１１には第２の直流出力６２が送出される。また、電圧制御部１２の出力４３がＬレベルとなるときには、トランジスタＱ１，Ｑ２の双方がオフとなり、駆動回路１１には、ダイオードＤ３を介して、第１の直流出力６１が送出される。
【００２９】
電流検出用抵抗Ｒ１３は、一方の端子が駆動回路１１と駆動制御回路２８とに接続され、他方の端子は接地されている。また、電流検出用抵抗Ｒ１３の一方の端子は、図２に示したように、電流検出部６を構成するＯＰアンプ６５のプラス入力に導かれている。そして、ＯＰアンプ６５のマイナス入力と接地レベルとの間には第１の抵抗Ｒ１が接続され、ＯＰアンプ６５のマイナス入力と出力端子との間には第２の抵抗Ｒ２が接続されている。また、第２の抵抗Ｒ２には、ハイカットフィルタとしての特性を得るため、並列にコンデンサＣ５が接続されている。
【００３０】
電流検出部６は上記した構成となっている。このため、電流検出部６は、電流検出用抵抗Ｒ１３の一方の端子に発生する電圧を増幅し、増幅結果を、ブラシレスモータ４に流れる電流を示す信号として、電圧制御部１２に出力する。なお、この増幅においては、コンデンサＣ５の作用により、所定周波数より高い周波数成分が除去される。
【００３１】
制御部１は、マイクロコンピュータを主要部として構成されたブロックとなっており、ビデオカセットレコーダとしての主要動作を制御する。すなわち、図４に示す走行機構部の動作を制御することによって、磁気テープ５５の早送りや巻戻しを行う。また、録画時や再生時では、磁気テープ５５を所定速度で走行させるとともに、図示されない記録再生信号処理部を制御することによって、磁気テープ５５への映像信号の記録と、磁気テープ５５に記録された映像信号の再生、等を行う。
【００３２】
電圧制御部１２は、制御部１を構成するマイクロコンピュータの機能の一部によって構成されたブロックとなっている。そして、早送り時または巻戻し時において、スイッチ回路３から第２の直流出力６２が駆動回路１１に送出されているとき、電流検出部６の検出結果が、ブラシレスモータ４に流れる電流が所定期間に渡って所定値を超えたことを示すときには、スイッチ回路３から駆動回路１１に送出される直流出力の電圧を低下させる。すなわち、スイッチ回路３から駆動回路１１に送出される直流出力を、第２の直流出力６２から第１の直流出力６１に変更する。
【００３３】
ここで補足的な説明を行うと、電流検出部６は、上記したように、過電流保護部２９が過電流を検出するために使用する素子である電流検出用抵抗Ｒ１３を用いて、ブラシレスモータ４に流れる電流を検出するようになっている。すなわち、電流検出用抵抗Ｒ１３は、過電流の検出と、ブラシレスモータ４に流れる電流の検出とで、共用される素子となっている。このため、過電流の検出のための抵抗と、ブラシレスモータ４に流れる電流の検出のための抵抗とを個別に受けた構成と比較するときでは、大型の抵抗素子の数の増加が抑制されることになる。且つ、電流検出のために電力を消費する素子数も１つとなるので、全体としての消費電力の増加が防止される。
【００３４】
図５は、早送り時または巻戻し時の実施形態の主要動作を示すフローチャートである。必要に応じて同図を参照しつつ、実施形態の動作を説明する。
【００３５】
図示されないリモートコントローラ等に、早送り、あるいは、巻戻しの指示が入力されると（ステップＳ１）、制御部１は、スイッチ回路３にＬレベルを出力することによって、スイッチ回路３から駆動回路１１に第１の直流出力６１を送出させる（駆動回路１１に供給する動作電源の電圧を１２Ｖとする）。この状態において、ブラシレスモータ４を回転させ（信号４７を所定レベルに設定する）、磁気テープ５５を走行させる（ステップＳ２）。そして、所定時間が経過したときには、スイッチ回路３にＨレベルを出力することによって、スイッチ回路３から駆動回路１１に第２の直流出力６２を送出させる（駆動回路１１に供給する動作電源の電圧を２０Ｖとする）。このため、磁気テープ５５の走行速度が速くなる（ステップＳ３）。
【００３６】
次いで、早送り、あるいは、巻戻しの終了が近づいたことに対応する減速を行うかどうかを判定する（ステップＳ４）。早送りや巻戻しの終了が近づいていないため、減速を必要としないときには、電圧制御部１２は、電流検出部６の出力に基づき、ブラシレスモータ４に供給される電流が所定値を超えたかどうかを調べる（ステップＳ５）。所定値を超えていないときには、巻き取りの負荷が適正であり、ブラシレスモータ４に流れる電流も適正値の範囲にあるため、減速が必要となるまでの期間においては、ステステップＳ４〜ステップＳ６のループ動作を継続する。
【００３７】
一方、ステップＳ６の判定において、ブラシレスモータ４に流れる電流が所定値を超えた場合には、所定値を超える期間が、所定期間（例えば、約５秒）だけ継続したかどうかを調べる。ブラシレスモータ４に流れる電流が所定値を超えはしたが、その継続期間が例えば２秒であり、２秒を超えたときに電流値が所定値以下となるような場合では、動作は、ステップＳ８からステップＳ４に移行する。このため、ブラシレスモータ４に流れる電流が所定値を超える場合であっても、所定値を超える期間が、所定期間だけ継続しないときでは、ステップＳ４〜ステップＳ８のループ動作が実行される。
【００３８】
一方、ブラシレスモータ４に流れる電流が所定値を超える期間が、所定期間だけ継続する場合には、電圧制御部１２は、スイッチ回路３に出力する信号４３のレベルを、ＨレベルからＬレベルに変更することによって、スイッチ回路３が駆動回路１１に出力する直流出力を、第２の直流出力６２から第１の直流出力６１に変更する。すなわち、駆動回路１１に供給される動作電源の電圧を、２０Ｖから１２Ｖに低下させる。このため、以後では、ＦＥＴ３１〜３６における電圧降下量が減少するので、ＦＥＴ３１〜３６の発熱量が少なくなって、ドライバＩＣ５の温度上昇が停止（あるいは抑制）される（ステップＳ９）。そして後、早送りや巻戻しの終了の間近になると、ブラシレスモータ４の回転速度を低下させる制御が行われ、早送りや巻戻しが終了したときには、ブラシレスモータ４の回転が停止される。
【００３９】
また、ステップＳ４〜ステップＳ６のループ動作を実行しているとき、あるいは、ステップＳ４〜ステップＳ８のループ動作を実行しているときに、早送りや巻戻しの終了が近づくと、電圧制御部１２は、スイッチ回路３に送出する出力４３のレベルを、ＨレベルからＬレベルに変更することによって、スイッチ回路３が駆動回路１１に送出する直流出力の電圧を、２０Ｖから１２Ｖに低下させる。そして後、早送りや巻戻しの終了の間近になると、ブラシレスモータ４の回転速度を低下させる制御が行われ、早送りや巻戻しが終了したときには、ブラシレスモータ４の回転が停止される。
【００４０】
なお、本考案は上記実施形態に限定されず、第１の直流出力６１の電圧と第２の直流出力６２の電圧とは、第２の直流出力６２の電圧が第１の直流出力６１の電圧より高くなる限りでは、その他の任意の電圧とする場合にも、同様に適用することができる。
【図面の簡単な説明】
【００４１】
【図１】本考案に係る磁気テープ駆動装置の一実施形態を用いたビデオカセットレコーダの部分的な電気的構成を示すブロック線図である。
【図２】電流検出部の詳細な電気的接続を示す回路図である。
【図３】スイッチ回路の詳細な電気的接続を示す回路図である。
【図４】実施形態の走行機構部の構成の概略を示す説明図である。
【図５】早送り時または巻戻し時の実施形態の主要動作を示すフローチャートである。
【図６】従来技術の電気的構成を示すブロック線図である。
【符号の説明】
【００４２】
２  電源部
３  スイッチ回路
４  ブラシレスモータ（駆動モータ）
５  ドライバＩＣ
６  電流検出部
１１  駆動回路
１２  電圧制御部
２９  過電流保護部
５３  キャプスタン
５５  磁気テープ
６１  第１の直流出力
６２  第２の直流出力
６５  ＯＰアンプ
Ｃ５  コンデンサ
Ｄ３  ダイオード
Ｑ１  ＮＰＮトランジスタ
Ｒ１  第１の抵抗
Ｒ２  第２の抵抗
Ｒ１３  電流検出用抵抗
【図１】
0003106026.tif 000003
【図２】
0003106026.tif 000004
【図３】
0003106026.tif 000005
【図４】
0003106026.tif 000006
【図５】
0003106026.tif 000007
【図６】
0003106026.tif 000008